(57)【要約】【課題】吸収体の長手方向の端部側において側方からの水分の漏出を確実に抑制する。【解決手段】吸収性物品１の吸収コア２２では、前方部２２１および後方部２２３の幅は股間部２２２よりも広くされる。吸収コア２２の股間部２２２では、股間側方部２２２２の間に位置する股間中央部２２２１が、股間側方部２２２２よりも厚くされる。前方部２２１および後方部２２３は、股間中央部２２２１および股間部２２２よりも幅が広く、股間側方部２２２２よりも厚い厚肉部であり、当該厚肉部の厚さは股間中央部２２２１の厚さとほぼ等しい。これにより、吸収性物品１では、前方部２２１および後方部２２３の吸収性が股間部２２２よりも高くされるため、前方部２２１および後方部２２３において、股間部２２２から移動してくる水分を確実に保持し、吸収コア２２の側方からの水分の漏出を確実に抑制することができる。【選択図】図２
2006223321.tif 000002
【特許請求の範囲】
【請求項１】
着用者からの排泄物を受ける吸収性物品であって、
吸収体と、
前記吸収体の着用者側の主面を覆うトップシートと、
前記吸収体のもう一方の主面を覆うバックシートと、
を備え、
前記吸収体が、
着用者の腹側の肌に接する前方部と、
着用者の背側の肌に接する後方部と、
前記前方部および前記後方部の間において着用者の股間に対向する股間部と、
を備え、
前記股間部が、
幅方向の両側の部位である２つの股間側方部と、
前記２つの股間側方部の間に位置し、前記２つの股間側方部よりも厚い股間中央部と、
を備え、
少なくとも前記前方部および前記後方部のいずれか一方が、前記股間中央部よりも幅が広く、かつ、前記２つの股間側方部よりも厚い厚肉部を備えることを特徴とする吸収性物品。
【請求項２】
請求項１に記載の吸収性物品であって、
前記厚肉部の幅が前記股間部の幅以上であることを特徴とする吸収性物品。
【請求項３】
請求項１または２に記載の吸収性物品であって、
前記厚肉部の厚さが前記股間中央部の厚さとほぼ等しいことを特徴とする吸収性物品。
【請求項４】
請求項１ないし３のいずれかに記載の吸収性物品であって、
前記吸収体の外形が略矩形状であることを特徴とする吸収性物品。
【請求項５】
請求項１ないし４のいずれかに記載の吸収性物品であって、
前記吸収体が、積層される複数の吸収層を備え、
前記複数の吸収層のうちの一の吸収層の外形が他の一の吸収層の外形と異なることを特徴とする吸収性物品。
【請求項６】
請求項５に記載の吸収性物品であって、
前記一の吸収層が略矩形状であり、前記他の一の吸収層の少なくとも前記前方部および前記後方部のいずれか一方の幅が前記股間部の幅よりも広いことを特徴とする吸収性物品。
【請求項７】
請求項６に記載の吸収性物品であって、
前記他の一の吸収層の少なくとも前記前方部および前記後方部のいずれか一方の幅が、前記一の吸収層の幅よりも広いことを特徴とする吸収性物品。
【請求項８】
請求項５ないし７のいずれかに記載の吸収性物品であって、
前記一の吸収層の少なくとも一部と前記他の一の吸収層の少なくとも一部とが前記トップシートに面し、前記一の吸収層の色と前記他の一の吸収層の色とが異なることを特徴とする吸収性物品。
【請求項９】
請求項５ないし８のいずれかに記載の吸収性物品であって、
前記複数の吸収層が２層であることを特徴とする吸収性物品。
【請求項１０】
請求項１ないし９のいずれかに記載の吸収性物品であって、
前記吸収体の前記前方部および前記後方部のそれぞれが前記厚肉部を備えることを特徴とする吸収性物品。
【発明の詳細な説明】
【技術分野】
【０００１】
本発明は、着用者からの排泄物を受ける吸収性物品に関する。
【背景技術】
【０００２】
使い捨ておむつ等の吸収性物品では通常、着用者の股間に対応する股間部において、着用者からの排泄物を幅方向の中央部で受ける。このような使い捨ておむつでは、吸収体により吸収された尿等の水分が中央部から側方部に移動して吸収体の側方から漏出することを防止するために、吸収体の中央部における吸収性を向上する技術が提案されている。
【０００３】
例えば、特許文献１では、吸収体の幅方向の中央部において、側方部よりも厚さを厚くするとともに高吸収性ポリマーの坪量を高くし、さらに、トップシートとの間に嵩高不織布を配することにより、使い捨ておむつの側方部からの漏れ防止性を向上する技術が開示されている。
【特許文献１】特開平１１−２８５５１３号公報
【発明の開示】
【発明が解決しようとする課題】
【０００４】
ところで、使い捨ておむつでは、着用者が側臥位や仰臥位等で寝ている場合、吸収体の股間部に吸収された尿等の水分が、吸収体の長手方向の端部側（すなわち、前後部）へと移動したり拡散する。特許文献１の使い捨ておむつでは、吸収体の中央部（すなわち、吸収性が高い部位）の幅が長手方向において一定とされるため、股間部から前後部に移動した水分が、前後部において中央部よりも薄い側方部へと移動したり拡散して側方部から漏出してしまう恐れがある。また、幅方向において高吸収性ポリマーの坪量を変更し、さらに中央部の上方に嵩高不織布を配する必要があるため、吸収性物品の製造が複雑になってしまう。
【０００５】
本発明は、上記課題に鑑みなされたものであり、吸収体の長手方向の端部側において側方からの水分の漏出を確実に抑制することを主な目的としている。
【課題を解決するための手段】
【０００６】
請求項１に記載の発明は、着用者からの排泄物を受ける吸収性物品であって、吸収体と、前記吸収体の着用者側の主面を覆うトップシートと、前記吸収体のもう一方の主面を覆うバックシートとを備え、前記吸収体が、着用者の腹側の肌に接する前方部と、着用者の背側の肌に接する後方部と、前記前方部および前記後方部の間において着用者の股間に対向する股間部とを備え、前記股間部が、幅方向の両側の部位である２つの股間側方部と、前記２つの股間側方部の間に位置し、前記２つの股間側方部よりも厚い股間中央部とを備え、少なくとも前記前方部および前記後方部のいずれか一方が、前記股間中央部よりも幅が広く、かつ、前記２つの股間側方部よりも厚い厚肉部を備える。
【０００７】
請求項２に記載の発明は、請求項１に記載の吸収性物品であって、前記厚肉部の幅が前記股間部の幅以上である。
【０００８】
請求項３に記載の発明は、請求項１または２に記載の吸収性物品であって、前記厚肉部の厚さが前記股間中央部の厚さとほぼ等しい。
【０００９】
請求項４に記載の発明は、請求項１ないし３のいずれかに記載の吸収性物品であって、前記吸収体の外形が略矩形状である。
【００１０】
請求項５に記載の発明は、請求項１ないし４のいずれかに記載の吸収性物品であって、前記吸収体が、積層される複数の吸収層を備え、前記複数の吸収層のうちの一の吸収層の外形が他の一の吸収層の外形と異なる。
【００１１】
請求項６に記載の発明は、請求項５に記載の吸収性物品であって、前記一の吸収層が略矩形状であり、前記他の一の吸収層の少なくとも前記前方部および前記後方部のいずれか一方の幅が前記股間部の幅よりも広い。
【００１２】
請求項７に記載の発明は、請求項６に記載の吸収性物品であって、前記他の一の吸収層の少なくとも前記前方部および前記後方部のいずれか一方の幅が、前記一の吸収層の幅よりも広い。
【００１３】
請求項８に記載の発明は、請求項５ないし７のいずれかに記載の吸収性物品であって、前記一の吸収層の少なくとも一部と前記他の一の吸収層の少なくとも一部とが前記トップシートに面し、前記一の吸収層の色と前記他の一の吸収層の色とが異なる。
【００１４】
請求項９に記載の発明は、請求項５ないし８のいずれかに記載の吸収性物品であって、前記複数の吸収層が２層である。
【００１５】
請求項１０に記載の発明は、請求項１ないし９のいずれかに記載の吸収性物品であって、前記吸収体の前記前方部および前記後方部のそれぞれが前記厚肉部を備える。
【発明の効果】
【００１６】
本発明では、吸収体の長手方向の端部側において側方からの水分の漏出を確実に抑制することができる。請求項３ないし６の発明では、吸収性物品の製造を簡素化することができる。請求項７の発明では、腰回りにおける吸収性物品の着用感を向上することができる。請求項８の発明では、着用時の位置合わせを容易に行うことができる。
【発明を実施するための最良の形態】
【００１７】
図１は、本発明の第１の実施の形態に係る吸収性物品１の外観を示す図である。着用者からの排泄物を受ける吸収性物品１は、着用者の腹側に当接する部位と背側に当接する部位とを腰回りで止着して着用するオープンタイプの使い捨ておむつである。
【００１８】
図２は、吸収性物品１の構成を示す平面図であり、図３および図４は、吸収性物品１を図２中に示すＡ−ＡおよびＢ−Ｂの位置でＹ方向に垂直な面で切断した断面図である。図２ないし図４に示すように、吸収性物品１は、略シート状の本体部２、および、本体部２の長手方向（すなわち、Ｙ方向）のほぼ全長に亘って本体部２の長手方向とは垂直な幅方向（すなわち、Ｘ方向）の両側に設けられた一対の側壁部３を備える。なお、図４では、吸収性物品１の（＋Ｙ）側の端部近傍の断面を示すが、（−Ｙ）側の端部近傍の断面も図４と同様の構造を有する。
【００１９】
また、吸収性物品１は、図２に示すように、本体部２の長手方向の一方の端部（（−Ｙ）側の端部であり、着用者の背側に当接する部位）において幅方向の両側に取り付けられた一対の止着部２４を備える。吸収性物品１の着用時には、本体部２の（＋Ｚ）側の主面が着用者に接する面となり、一対の止着部２４のそれぞれに２つ設けられた面ファスナー２４１が、本体部２の（＋Ｙ）側の端部（すなわち、着用者の腹側に当接する部位）において着用者側とは反対側に設けられたフロンタルテープ２４２（図１参照）に止着される。
【００２０】
止着部２４の面ファスナー２４１は微小なフック部材を多数有しており、面ファスナー２４１の止着時にはこれらのフック部材がフロンタルテープ２４２のループ部材と係合する。なお、フロンタルテープ２４２は不織布や他の布地であってもよく、この場合、面ファスナー２４１のフック部材は不織布等の繊維群に着脱可能に接合される。また、止着部２４では、面ファスナー２４１に代えてホットメルト接着剤等の粘着剤が設けられてもよい。
【００２１】
図２ないし図４に示すように、一対の側壁部３のそれぞれには、長手方向に伸びる脚用弾性部材３１ａ，３１ｂが接合されており、図２に示すように吸収性物品１を広げた状態では、脚用弾性部材３１ａ，３１ｂは伸張状態となっている。吸収性物品１では、各側壁部３の（＋Ｙ）側の端部（（−Ｙ）側の端部についても同様。）が、図４に示すように、本体部２の着用者側の面にホットメルト接着剤４により接合されており、長手方向の両端部の間の部位は、図３に示すように、本体部２の着用者側の面とは非接合状態とされる。吸収性物品１では、内側の脚用弾性部材３１ａが収縮することにより、本体部２の側方において側壁部３の内側のエッジが着用者側に向かって立ち上がり、外側の脚用弾性部材３１ｂが収縮することにより、側壁部３の外側のエッジおよび後述のバックシート２３が着用者側かつ内側に向かって立ち上がって着用時に着用者の足の付け根近傍に当接する立体ギャザーが形成される。なお、図４に示すように、長手方向の両端部では、側壁部３が後述のバックシート２３および吸収コア２２にも接合される。
【００２２】
図２ないし図４に示す側壁部３は、撥水性または不透液性の不織布（例えば、スパンボンド不織布やメルトブロー不織布、ＳＭＳ（スパンボンド・メルトブロー・スパンボンド）不織布）やプラスチックフィルム、あるいは、これらの複合材料により形成される。吸収性物品１の快適性向上の観点からは、側壁部３が通気性を有することが好ましい。脚用弾性部材３１ａ，３１ｂとしては、ポリウレタン糸、ポリウレタンフィルム、天然ゴム等が用いられる。また、脚用弾性部材３１ａ，３１ｂは、ホットメルト接着剤、超音波接合、ヒートシール等により側壁部３に接合される。好ましくは、繊度３００〜１８５０デシテックスのポリウレタン糸が脚用弾性部材３１ａ，３１ｂとして用いられ、１．１〜４．０倍に伸張された状態でゴム系のホットメルト接着剤により側壁部３に接合される。
【００２３】
本体部２は、図２にその輪郭を太い破線にて示す吸収体である吸収コア２２、吸収コア２２の着用者側（すなわち、（＋Ｚ）側）の主面を覆うトップシート２１、および、吸収コア２２のもう一方の主面を覆うバックシート２３を備える。トップシート２１およびバックシート２３は、ホットメルト接着剤等により吸収コア２２の周囲にて互いに接合され、吸収コア２２の側方には側壁部３が接合される。
【００２４】
また、本体部２の長手方向の両端部には、トップシート２１とバックシート２３とに挟まれるウエスト用弾性部材２５が設けられる。ウエスト用弾性部材２５としてはポリウレタンフィルム等が用いられ、伸張状態にてトップシート２１およびバックシート２３に接合されたウエスト用弾性部材２５が収縮することにより、吸収性物品１が着用者の腰回りに密着する。吸収性物品１では、脚用弾性部材３１ａ，３１ｂが設けられた側壁部３、および、ウエスト用弾性部材２５により、脚周り、股間、腹側および背側からの尿等の漏出が防止される。
【００２５】
トップシート２１は透液性の材料、例えば、親水性繊維により形成された不織布であり、着用者からの排泄物の水分を速やかに捕捉して吸収コア２２へと移動させる。トップシート２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、トップシート２１として、表面を界面活性剤により親水処理した疎水性繊維（例えば、ポリプロピレン、ポリエチレン、ポリエステル、ポリアミド、ナイロン）にて形成された透液性の不織布が利用されてもよく、また、開孔を有するプラスチックフィルムが利用されてもよい。
【００２６】
吸収コア２２は、親水性繊維（例えば、粉砕したパルプ繊維やセルロース繊維）に粒状の吸水性ポリマー（例えば、ＳＡＰ(Super Absorbent Polymer)）を混合したものをティッシュペーパーや透液性不織布等の被覆シートにより包み込んで形成され、トップシート２１を透過した水分を吸収して迅速に固定する。親水性繊維を包む被覆シートは、親水性繊維および吸水性ポリマーとホットメルト接着剤により接合されて、親水性繊維の型崩れ、および、吸水性ポリマーの脱落（特に、吸水後における脱落）を防止する。
【００２７】
バックシート２３は撥水性または不透液性の不織布であり、トップシート２１を透過した水分、および、吸収コア２２に一旦吸収された水分が、本体部２の着用者側とは反対側にしみ出すのを防止する。バックシート２３として利用される不織布は、例えば、スパンボンド不織布やメルトブロー不織布、ＳＭＳ不織布であり、必要に応じて撥水処理が施されてもよい。なお、撥水性または不透液性のプラスチックフィルムや、上記不織布とプラスチックフィルムとの複合材料等がバックシート２３として利用されてもよい。この場合、着用者の快適性の観点からは、通気性を有するプラスチックフィルムが利用されることが好ましい。
【００２８】
次に、吸収コア２２の形状について説明する。図２に示すように、吸収コア２２では、着用者の腹側および背側の肌に接する前方部２２１および後方部２２３、並びに、前方部２２１および後方部２２３の間において着用者の股間に対向する股間部２２２が長手方向に沿って並ぶ。前方部２２１および後方部２２３の幅は股間部２２２よりも広くされており、吸収コア２２はいわゆる砂時計型とされる。
【００２９】
吸収コア２２の股間部２２２では、図３に示すように、幅方向の両側の部位（以下、「股間側方部」という。）２２２２の間に位置する中央の部位（以下、「股間中央部」という。）２２２１が、股間側方部２２２２よりも厚くされる。また、図４に示すように、前方部２２１の厚さは幅方向全体においてほぼ均一であり、股間中央部２２２１とおよそ同じ厚さとされる（後方部２２３についても同様）。換言すれば、前方部２２１および後方部２２３は、股間中央部２２２１および股間部２２２よりも幅が広く、股間側方部２２２２よりも厚い厚肉部であり、当該厚肉部の厚さは股間中央部２２２１の厚さとほぼ等しい。吸収性物品１では、着用者が側臥位や仰臥位等で寝ている場合、吸収コア２２の股間部２２２に吸収された尿等の水分が、吸収コア２２の長手方向に拡散して前方部２２１および後方部２２３へと移動し、前方部２２１および後方部２２３において保持される。
【００３０】
以上に説明したように、吸収性物品１では、吸収コア２２の前方部２２１および後方部２２３が、股間中央部２２２１よりも広く股間側方部２２２２よりも厚い厚肉部とされることにより、前方部２２１および後方部２２３の吸収性が股間部２２２よりも高くされる。このため、前方部２２１および後方部２２３において、股間部２２２から移動してくる水分を確実に保持し、吸収コア２２の側方からの水分の漏出を確実に抑制することができる。また、厚肉部である前方部２２１および後方部２２３の幅が、股間中央部２２２１のみならず股間部２２２の幅よりも広くされることにより、吸収コア２２の側方からの水分の漏出をより確実に抑制することができる。
【００３１】
吸収性物品の製造では通常、凹部に積層したパルプを長手方向にヘラで掻き取ることにより吸収コアの外形が形作られるため、吸収コアの厚さが長手方向において均一とされることが好ましい。吸収性物品１では、厚肉部である前方部２２１および後方部２２３の厚さが、前方部２２１および後方部２２３と長手方向において連続する股間中央部２２２１の厚さとほぼ等しくされることにより、吸収性物品１の製造を簡素化することができる。
【００３２】
吸収性物品１の股間部２２２では、股間中央部２２２１が厚くされることにより股間部２２２の吸収性が向上される。また、吸収コア２２の外形が砂時計型とされるとともに股間側方部２２２２が股間中央部２２２１よりも薄くされることにより、股間中央部２２２１が着用者の股間に密着しやすくなり、また、股間側方部２２２２が鼠径部に沿って密着しやすくなるため、吸収性物品１の着用感を向上することができる。
【００３３】
次に、本発明の第２の実施の形態に係る吸収性物品について説明する。図５は、第２の実施の形態に係る吸収性物品の吸収コア２２ａを示す平面図である。図５に示すように、吸収コア２２ａは、外形が略矩形状である点を除いて図２に示す吸収コア２２と同様の構造を有する。吸収性物品の他の構造は図２と同様である（以下の実施の形態において同様）。
【００３４】
吸収コア２２ａでは、図２と同様に、着用者の腹側、股間および背側に対向する前方部２２１、股間部２２２および後方部２２３が長手方向に沿って並び、股間部２２２では、幅方向の中央の部位である股間中央部２２２１が、幅方向の両側の部位である股間側方部２２２２よりも厚くされる。また、前方部２２１および後方部２２３は、股間部２２２とほぼ等しい幅を有し、第１の実施の形態と同様に、股間中央部２２２１よりも幅が広く、股間側方部２２２２よりも厚い厚肉部とされる。厚肉部（すなわち、前方部２２１および後方部２２３）の厚さは股間中央部２２２１の厚さとほぼ等しい。
【００３５】
以上に説明したように、第２の実施の形態に係る吸収性物品では、第１の実施の形態と同様に、吸収コア２２ａの前方部２２１および後方部２２３が、股間中央部２２２１よりも幅が広く股間側方部２２２２よりも厚い厚肉部とされることにより、前方部２２１および後方部２２３の吸収性が股間部２２２よりも高くされる。その結果、前方部２２１および後方部２２３において、股間部２２２から移動してくる水分を確実に保持し、吸収コア２２ａの側方からの水分の漏出を確実に抑制することができる。また、股間中央部２２２１が股間側方部２２２２よりも厚くされることにより、股間中央部２２２１が着用者の股間に密着しやすくなり、また、股間側方部２２２２が鼠径部に沿って密着しやすくなるため、吸収性物品１の着用感を向上することができる。
【００３６】
第２の実施の形態に係る吸収性物品では、特に、吸収コア２２ａの外形が製造容易な略矩形状とされることにより、吸収性物品の製造を簡素化することができる。また、第１の実施の形態と同様に、前方部２２１および後方部２２３の厚さが股間中央部２２２１の厚さとほぼ等しくされるため、吸収性物品の製造をより簡素化することができる。
【００３７】
次に、本発明の第３の実施の形態に係る吸収性物品について説明する。図６は、第３の実施の形態に係る吸収性物品の吸収コア２２ｂを示す平面図であり、図７および図８は、吸収コア２２ｂを図６中に示すＣ−ＣおよびＤ−Ｄの位置でＹ方向に垂直な面で切断した断面図である。図６ないし図８に示すように、第３の実施の形態に係る吸収性物品では、互いに異なる外形を有する第１吸収層２２４および第２吸収層２２５が積層されることにより吸収コア２２ｂが形成されており、第１吸収層２２４および第２吸収層２２５は、第１吸収層２２４とは異なる色の有色シート２２６を間に挟んで接合される。有色シート２２６としては、着色されたティッシュペーパーや不織布が用いられる。その他の構成は図２と同様であり、以下の説明において同符号を付す。
【００３８】
第１吸収層２２４および第２吸収層２２５は、図２に示す吸収コア２２と同様に、粉砕したパルプ繊維やセルロース繊維等の親水性繊維に、ＳＡＰ等の粒状の吸水性ポリマーを混合したものをティッシュペーパーや透液性不織布等の被覆シートにより包み込んで形成される。図７および図８に示すように、第１吸収層２２４および第２吸収層２２５の厚さは略均一であり、互いにほぼ等しくされる。また、図６に示すように、有色シート２２６の外形は第２吸収層２２５の外形とほぼ同じである。
【００３９】
図６に示すように、吸収コア２２ｂの前方部２２１および後方部２２３における第１吸収層２２４の幅は、股間部２２２における第１吸収層２２４の幅よりも広く、第１吸収層２２４はいわゆる砂時計型とされる。また、第２吸収層２２５も同様に、前方部２２１および後方部２２３における幅が股間部２２２における幅よりも広い砂時計型とされ、股間部２２２では、第２吸収層２２５の幅が第１吸収層２２４の幅よりも広くされる。第３の実施の形態に係る吸収性物品では、第１吸収層２２４の（＋Ｚ）側の主面全体、および、第２吸収層２２５の（＋Ｚ）側の主面の一部（すなわち、股間部２２２における幅方向の両側の部位）がトップシート２１（図２参照）に面する。
【００４０】
図７に示すように、股間部２２２では、第２吸収層２２５の幅方向の略中央に、第２吸収層２２５よりも幅が狭い第１吸収層２２４が積層される。吸収コア２２ｂでは、股間部２２２の幅方向の両側において第２吸収層２２５上に第１吸収層２２４が積層されていない部位が股間側方部２２２２となり、股間側方部２２２２の間において第１吸収層２２４および第２吸収層２２５が積層される部位が、股間側方部２２２２よりも厚い股間中央部２２２１となる。
【００４１】
また、図８に示すように、前方部２２１（後方部２２３についても同様。）では、ほぼ等しい幅を有する第１吸収層２２４および第２吸収層２２５が積層されることにより、股間中央部２２２１および股間部２２２よりも幅が広く、股間側方部２２２２よりも厚い厚肉部が形成される。厚肉部（すなわち、前方部２２１および後方部２２３）の厚さは、股間中央部２２２１の厚さとほぼ等しくなる。
【００４２】
以上に説明したように、第３の実施の形態に係る吸収性物品では、第１の実施の形態と同様に、吸収コア２２ｂの前方部２２１および後方部２２３が、股間中央部２２２１よりも広く股間側方部２２２２よりも厚い厚肉部とされることにより、前方部２２１および後方部２２３の吸収性が股間部２２２よりも高くされる。その結果、前方部２２１および後方部２２３における吸収コア２２ｂの側方からの水分の漏出を確実に抑制することができる。また、股間中央部２２２１が股間側方部２２２２よりも厚くされることにより、股間中央部２２２１および股間側方部２２２２が着用者の股間および鼠径部に密着しやすくなるため、吸収性物品１の着用感を向上することができる。
【００４３】
第３の実施の形態に係る吸収性物品では、特に、互いに外形が異なる２層の吸収層（すなわち、第１吸収層２２４および第２吸収層２２５）を積層することによって吸収コア２２ｂが形成される。したがって、第１吸収層２２４および第２吸収層２２５の厚さを幅方向において変えることなく、吸収コア２２ｂの幅方向の厚さを部位毎に容易に変えることができる。すなわち、吸収コア２２ｂの設計の自由度を向上させつつ吸収性物品の製造および管理を簡素化することができる。また、第１の実施の形態と同様に、前方部２２１および後方部２２３の厚さが股間中央部２２２１の厚さとほぼ等しくされるため、第１吸収層２２４および第２吸収層２２５の厚さを長手方向において変える必要がなく、吸収性物品の製造をより簡素化することができる。
【００４４】
図６に示すように、吸収コア２２ｂでは、第１吸収層２２４および第２吸収層２２５が第１吸収層２２４とは異なる色の有色シート２２６を介して接合されるため、吸収コア２２ｂのトップシート２１に面する側（すなわち、着用者側である（＋Ｚ）側）において、実質的に第２吸収層２２５の色が第１吸収層２２４の色と異なる状態とされる（正確には、第２吸収層２２５に対応する領域の色が第１吸収層２２４の色と異なる。）。したがって、吸収性物品をトップシート２１側から見た場合、第２吸収層２２５の第１吸収層２２４に覆われていない部位である股間側方部２２２２の色が、吸収コア２２ｂの他の部位（すなわち、前方部２２１、後方部２２３および股間中央部２２２１）の色と異なることとなる。これにより、第３の実施の形態に係る吸収性物品では、股間側方部２２２２および股間中央部２２２１の位置が明確化されるため、吸収性物品の着用時に股間中央部２２２１と着用者の股間との位置合わせを容易に行うことができる。また、吸収性物品の本体部２（図２参照）上に補助吸収具（いわゆる、尿パッド等）を取り付けて着用する場合、補助吸収具と吸収コア２２ｂとの位置合わせを容易に行い、補助吸収具を適切な位置に迅速に取り付けることができる。
【００４５】
次に、本発明の第４の実施の形態に係る吸収性物品について説明する。図９は、第４の実施の形態に係る吸収性物品の吸収コア２２ｃを示す平面図であり、図１０および図１１は、吸収コア２２ｃを図９中に示すＥ−ＥおよびＦ−Ｆの位置でＹ方向に垂直な面で切断した断面図である。図９に示すように、吸収コア２２ｃは、図６に示す第２吸収層２２５とは外形が異なる第２吸収層２２５ａを備える。その他の構成は図６と同様であり、以下の説明において同符号を付す。
【００４６】
図９に示すように、吸収コア２２ｃでは、第２吸収層２２５ａは略矩形状であり、前方部２２１および後方部２２３における第１吸収層２２４の幅は、股間部２２２における第１吸収層２２４の幅よりも広くされる。また、有色シート２２６の外形は第２吸収層２２５の外形とほぼ同じである。図１０および図１１に示すように、第１吸収層２２４および第２吸収層２２５ａの厚さは略均一であり、互いにほぼ等しくされる。
【００４７】
図１０に示すように、第１吸収層２２４の股間部２２２の幅は、第２吸収層２２５ａの幅よりも狭くされ、股間部２２２の幅方向の両側において第２吸収層２２５ａ上に第１吸収層２２４が積層されていない部位が股間側方部２２２２となり、股間側方部２２２２の間において第１吸収層２２４および第２吸収層２２５ａが積層される部位が、股間側方部２２２２よりも厚い股間中央部２２２１となる。
【００４８】
また、図１１に示すように、前方部２２１（後方部２２３についても同様。）では、第１吸収層２２４の幅は、第２吸収層２２５ａの幅よりも広くされ、幅方向の中央部において第１吸収層２２４および第２吸収層２２５ａが積層される部位が、股間中央部２２２１よりも幅が広く、股間側方部２２２２よりも厚い厚肉部の役割を果たす。前方部２２１および後方部２２３における厚肉部の厚さは、股間中央部２２２１の厚さとほぼ等しくなる。
【００４９】
以上に説明したように、第４の実施の形態に係る吸収性物品では、吸収コア２２ｃの前方部２２１および後方部２２３に、股間中央部２２２１よりも広く股間側方部２２２２よりも厚い厚肉部が設けられることにより、第３の実施の形態と同様に、前方部２２１および後方部２２３の吸収性が股間部２２２よりも高くされる。その結果、前方部２２１および後方部２２３における吸収コア２２ｃの側方からの水分の漏出を確実に抑制することができる。
【００５０】
第４の実施の形態に係る吸収性物品では、第３の実施の形態と同様に、外形が異なる第１吸収層２２４および第２吸収層２２５ａを積層することにより、第１吸収層２２４および第２吸収層２２５ａの幅方向の厚さを変えることなく、吸収コア２２ｃの幅方向の厚さを部位毎に容易に変えることができる。また、第１の実施の形態と同様に、前方部２２１および後方部２２３の厚さが股間中央部２２２１の厚さとほぼ等しくされるため、第１吸収層２２４および第２吸収層２２５ａの厚さを長手方向において変える必要がない。このため、吸収性物品の製造および管理を簡素化することができる。第４の実施の形態に係る吸収性物品では、特に、第２吸収層２２５ａの外形を製造容易な矩形状とすることにより、吸収性物品の製造をより簡素化することができる。
【００５１】
また、第３の実施の形態と同様に、吸収コア２２ｃの股間中央部２２２１が股間側方部２２２２よりも厚くされることにより、股間中央部２２２１および股間側方部２２２２が着用者の股間および鼠径部に密着しやすくなるため、吸収性物品の着用感を向上することができる。第４の実施の形態に係る吸収性物品では、特に、吸収コア２２ｃの前方部２２１および後方部２２３において、第１吸収層２２４の幅を第２吸収層２２５ａよりも広くすることにより、前方部２２１および後方部２２３の幅方向の両側の部位が中央の厚肉部よりも薄くされる。その結果、吸収性物品の着用時に、着用者の側方における吸収性物品の厚さを薄くすることができ、腰回りにおける着用感をさらに向上することができる。
【００５２】
図９に示す吸収コア２２ｃでは、第３の実施の形態と同様に、第１吸収層２２４および第２吸収層２２５ａが、第１吸収層２２４とは異なる色の有色シート２２６を介して接合されるため、吸収コア２２ｃの（＋Ｚ）側（すなわち、着用者側）において、実質的に第２吸収層２２５ａの色が第１吸収層２２４の色と異なる状態とされる。これにより、股間側方部２２２２および股間中央部２２２１の位置が明確化されるため、吸収性物品の着用時に股間中央部２２２１と着用者の股間との位置合わせを容易に行うことができる。また、吸収性物品に補助吸収具を取り付けて着用する場合、補助吸収具と吸収コア２２ｂとの位置合わせも容易に行うことができる。
【００５３】
以上、本発明の実施の形態について説明してきたが、本発明は上記実施の形態に限定されるものではなく、様々な変更が可能である。
【００５４】
例えば、第３の実施の形態（第４の実施の形態についても同様。）では、有色シート２２６を第１吸収層２２４および第２吸収層２２５の間に設ける代わりに、第２吸収層２２５の着用者側の主面が、インクジェット印刷により第１吸収層２２４とは異なる色に着色されてもよい。また、第２吸収層２２５の着用者側の主面への着色は、第１吸収層２２４とは異なる色を有する有色ホットメルト接着剤の塗布により行われてもよい。なお、吸収性物品の位置合わせを容易に行うという観点からは、第２吸収層２２５の着用者側の主面全体に着色される必要はなく、股間側方部２２２２のみ、あるいは、股間側方部２２２２と股間中央部２２２１との境界線に対応する部位のみが着色されてもよい。
【００５５】
また、第１の実施の形態（第２の実施の形態についても同様。）でも、吸収コア２２の股間側方部２２２２における着用者側の面、あるいは、股間側方部２２２２と股間中央部２２２１との境界が、インクジェット印刷等により着色されることにより、股間側方部２２２２および股間中央部２２２１の位置が明確化され、吸収性物品１と着用者または補助吸収具との位置合わせを容易に行うことができる。
【００５６】
吸収性物品の製造を簡素化するという観点からは、吸収コアは２層の吸収層が積層されて形成されることが好ましいが、必要に応じて３層以上の吸収層が積層されることにより吸収コアが形成されてもよい。この場合も、股間中央部２２２１よりも幅が広く、股間側方部２２２２よりも厚い厚肉部が前方部２２１および後方部２２３に形成されるように、少なくとも１つの吸収層の外形が他の吸収層の外形と異なるものとされる。
【００５７】
上記実施の形態に係る吸収性物品では、長手方向の端部側における吸収コア側方からの水分の漏出防止という観点からは、前方部２２１および後方部２２３のいずれか一方に、股間中央部２２２１よりも幅が広く股間側方部２２２２よりも厚い厚肉部が設けられていればよい。また、吸収性物品の上記構造は、パンツタイプの使い捨ておむつに利用されてもよい。
【図面の簡単な説明】
【００５８】
【図１】第１の実施の形態に係る吸収性物品の外観を示す図である。
【図２】吸収性物品を示す平面図である。
【図３】吸収性物品を示す断面図である。
【図４】吸収性物品を示す断面図である。
【図５】第２の実施の形態に係る吸収性物品の吸収コアを示す平面図である。
【図６】第３の実施の形態に係る吸収性物品の吸収コアを示す平面図である。
【図７】吸収コアを示す断面図である。
【図８】吸収コアを示す断面図である。
【図９】第４の実施の形態に係る吸収性物品の吸収コアを示す平面図である。
【図１０】吸収コアを示す断面図である。
【図１１】吸収コアを示す断面図である。
【符号の説明】
【００５９】
１    吸収性物品
２１    トップシート
２２，２２ａ〜２２ｃ    吸収コア
２３    バックシート
２２１    前方部
２２２    股間部
２２３    後方部
２２４    第１吸収層
２２５，２２５ａ    第２吸収層
２２２１    股間中央部
２２２２    股間側方部
【図１】
2006223321.tif 000003
【図２】
2006223321.tif 000004
【図３】
2006223321.tif 000005
【図４】
2006223321.tif 000006
【図５】
2006223321.tif 000007
【図６】
2006223321.tif 000008
【図７】
2006223321.tif 000009
【図８】
2006223321.tif 000010
【図９】
2006223321.tif 000011
【図１０】
2006223321.tif 000012
【図１１】
2006223321.tif 000013